【誤訳訂正書】
【提出日】平成20年9月25日(2008.9.25)
【誤訳訂正１】
【訂正対象書類名】明細書
【訂正対象項目名】特許請求の範囲
【訂正方法】変更
【訂正の内容】
【特許請求の範囲】
【請求項１】
−水溶液を以下の式の無機ユニットのネットワーク：
【化１】
2001520932.tif 000001
［式中、当該ネットワークには抽出されるイオンと錯体を形成する有機分子が組み込まれ、各有機分子は前記ネットワークの一または複数のＳｉ原子と共有結合している］
を含む有機−無機ハイブリッドシリカゲルと接触させること、かつ、
−イオンを結合したゲルを分離することによる、水溶液中に存在するアクチニドおよび／またはランタニドイオンから選択されたイオンの抽出方法であって、
ゲルの錯体を形成する有機分子が、以下の式：
【化２】
2001520932.tif 000002
［式中、（Ｍ）は、ネットワークの前記無機ユニットのＳｉを示す原子Ｍと該有機分子との共有結合を示す］
の一つに基づくハイブリッドシリカゲルである方法。
【請求項２】
ゲルが、以下の式： 
【化３】
2001520932.tif 000003
【化４】
2001520932.tif 000004
の一つに係るハイブリッドシリカゲルである、請求項１記載の方法。
【請求項３】
以下の式の一つに対応する少なくとも一つの機能性金属アルコキシド：
ＬＳｉ（ＯＲ1）3（I）または（Ｒ1Ｏ）3ＳｉＬＳｉ（ＯＲ1）3 （II）
［式中、−Ｌは以下の式の一つを備えた、錯体を形成する有機基を示す
【化５】
2001520932.tif 000005
−Ｒ1はアルキル基を示す］
が水の存在下で重縮合により重合される、ゾル‐ゲル法によりハイブリッドシリカゲルが調製される、請求項１または２に記載の方法。
【請求項４】
機能性金属アルコキシドが以下の式の金属アルコキシド： 
Ｓｉ（ＯＲ2）4 （III）
［式中、Ｒ2はアルキル基である］
とともに重合される、請求項３に記載された方法。
【請求項５】
機能性金属アルコキシドが以下の式： 
【化６】
2001520932.tif 000006
【化７】
2001520932.tif 000007
［式中、Ｒはアルキル基である］の一つに基づく、請求項３または４のいずれかに記載の方法。
【請求項６】
機能性金属アルコキシドが、以下の式のアルコキシド：
（Ｒ3Ｏ）３Ｓｉ−Ｘ−Ｓｉ−（ＯＲ3）３ （IV）
［式中、Ｒ3はアルキル基であり、Ｘは錯体形成しない有機基を示す］
とともに重合される、請求項３ないし５のいずれか一項に記載の方法。
【請求項７】
重合が、エタノール、水およびフッ化アンモニウムの存在下で行われる、請求項４ないし６のいずれか一項に記載の方法。
【請求項８】
以下の式の一つに対応する機能性ケイ素アルコキシドのみ： 
【化８】
2001520932.tif 000008
が重合される、請求項５記載の方法。
【請求項９】
１ないし５当量のテトラエトキシシランと機能性アルコキシシランが重合される、請求項４記載の方法。
【請求項１０】
抽出され、次いで洗浄によって除去される化学種の存在下で重合が行われ、得られたゲルにこの化学種のインプリント効果を与え、かつ、係る化学種の抽出に対するゲルの選択性を改良する、請求項３ないし９のいずれか一項に記載の方法。
【請求項１１】
ゲルが粉末形態である、請求項１ないし１０のいずれか一項に記載の方法。
【請求項１２】
ゲルが膜の形態である、請求項１ないし１１のいずれか一項に記載の方法。
【請求項１３】
以下の式： 
【化９】 
2001520932.tif 000009
の一つに基づく機能性ケイ素アルコキシド。
【誤訳訂正２】
【訂正対象書類名】明細書
【訂正対象項目名】００３１
【訂正方法】変更
【訂正の内容】
【００３１】
本発明のゲルに関する上記式およびその調製は、全体的に縮合された三次元ネットワークに対応する。得られたゲルは、縮合されないＯＨまたはＯＲ基が存在するために、一般に７０ないし９０％の縮合度を有する。ＬＳｉＯ1.5は、この場合、ＬＳｉＯx（ＯＨ）y（ＯＲ）z ［１≦ｘ≦１．５および０≦ｙ＋ｚ≦０．５］になる。
【誤訳訂正３】
【訂正対象書類名】明細書
【訂正対象項目名】００４５
【訂正方法】変更
【訂正の内容】
【００４５】
化合物３の物性 蒸留の後、微量の不純物を、13Ｃ ＮＭＲ（２．６３及び１４．１８ｐｐｍ）及び1Ｈ ＮＭＲ（２．７０ｐｐｍで複数）で視覚化する。それにも関わらず、要素分析は、理論的計算に従っている。
Ｅｂ0.025＝７２℃；
無色の液体
ＮＭＲ 1Ｈ（ＣＤＣｌ3、δｐｐｍ）：０．９４（ＣＨ2Ｓｉ、２Ｈ、ｍ）；１．１７（ＣＨ3、９Ｈ、ｔ）；２．７０（ＣＨ2、２Ｈ、ｍ）；３．７６（ＯＣＨ2、６Ｈ、ｑ）；７．１（ＣＨ、２Ｈ、ｄ）；８．４５（ＣＨ、２Ｈ、ｄ）；
ＮＭＲ 13Ｃ（ＣＤＣｌ3、δｐｐｍ）：１１．３１（ＣＨ2Ｓｉ）；１８．２５（ＣＨ3）；２８．３５（ＣＨ2）；５８．４６（ＯＣＨ2）；１２３．２９（ＣＨ）；１５３．３（Ｃ）；１４９．６３（ＣＨ）；
ＮＭＲ 29Ｓｉ（ＣＤＣｌ3、δｐｐｍ）：−４６．６８；
ＩＲ（ＣＣｌ4、ｃｍ-1）：νC-Hアリール＝３０６９、νC=Cアリール＝１６００、νSi-O＝１０８１；νSi-C＝１３９０；ＭＳ （ＥＩ+） （ｍ／ｅ、相対強度）：２６８（６０Ｍ+）；１６３（７７、Ｓｉ（ＯＥｔ）3+）；１０６（９０、Ｍ−Ｓｉ（ＯＥｔ）3+）；要素分析：Ｃ13Ｈ23Ｏ3ＮＳｉ計算値：Ｃ＝５７．９６％、Ｈ＝８．６０％、Ｎ＝５．２０％；測定値：Ｃ＝５８．０７％、Ｈ＝８．６０％、Ｎ＝６．５０％ 
【誤訳訂正４】
【訂正対象書類名】明細書
【訂正対象項目名】００４７
【訂正方法】変更
【訂正の内容】
【００４７】
化合物４の物性Ｅｂ0.15＝９０℃；無色の液体
ＮＭＲ 1Ｈ（ＣＤＣｌ3、δｐｐｍ）：１．０１（ＣＨ2Ｓｉ、２Ｈ、ｍ）；１．１２（ＣＨ3、９Ｈ、ｔ）；２．８２（ＣＨ2、２Ｈ、ｍ）；３．７３（ＯＣＨ2、６Ｈ、ｔ）；６．９６（ＣＨ、１Ｈ、ｔ）；７．０７（ＣＨ、１Ｈ、ｄ）；７．４６（ＣＨ2、１Ｈ、ｔ）；８．４１（ＣＨ2、１Ｈ、ｄ）；
ＮＭＲ 13Ｃ（ＣＤＣｌ3、δｐｐｍ）：１０．４４（ＣＨ2Ｓｉ）；１８．１９（ＣＨ3）；３１．３８（ＣＨ2）；５８．２８（ＯＣＨ2）；１２０．７５（ＣＨ）；１２２．００（ＣＨ）；１３６．１６（ＣＨ）；１４９．０３（ＣＨ）；１６３．６（Ｃ）；
ＮＭＲ 29Ｓｉ（ＣＤＣｌ3、δｐｐｍ）：−４５．８５；ＩＲ（ＣＣｌ4、ｃｍ-1）：νＳｉ−Ｏ＝１０８０、νSi-C＝１３８９、νC-Hアリール＝３０６８、νC=Cアリール＝１５９２、１４７４及び１４３４；
ＭＳ （ＥＩ+） （ｍ／ｅ、相対強度）：２６９（１９、Ｍ+）；１６３（１９、Ｓｉ（ＯＥｔ）3+）；１０６（１００、Ｍ−Ｓｉ（ＯＥｔ）3+）；要素分析：Ｃ13Ｈ23Ｏ3ＮＳｉ計算値：Ｃ＝５７．９６％、Ｈ＝８．６０％、Ｎ＝５．２０％；測定値：Ｃ＝５７．８０％、Ｈ＝８．８３％、Ｎ＝５．２０％ 
【誤訳訂正５】
【訂正対象書類名】明細書
【訂正対象項目名】００５０
【訂正方法】変更
【訂正の内容】
【００５０】
化合物５の物性
非常に粘性のオレンジ色の液体
ＮＭＲ １Ｈ（ＣＤＣｌ３、δｐｐｍ）：０．６１（ＣＨ２Ｓｉ、４Ｈ、ｔ）；１．２１（ＣＨ３、１８Ｈ、ｔ）；１．６２（ＣＨ２、４Ｈ、ｍ）；３．１３（２位でのＣＨ２、２Ｈ、ｓ）；３．２１（ＮＣＨ２、４Ｈ、ｑ）；３．７８（ＯＣＨ２、１２Ｈ、ｑ）；７．２６（ＮＨ）；
ＮＭＲ １３Ｃ（ＣＤＣｌ３、δｐｐｍ）：７．４３（ＣＨ２Ｓｉ）；１８．１９（ＯＣＨ２ＣＨ３）；２２．６９（ＣＨ２ＣＨ２ＣＨ２）；４２．０１（ＣＨ２ＮＨ）；４２．６１（２位のＣＨ２）；５８．４７（ＯＣＨ２）；１６７．４９（Ｃ（Ｏ））；
ＮＭＲ ２９Ｓｉ（ＣＤＣｌ３、δｐｐｍ）：−４６．５７；
ＩＲ（ＣＣｌ４、ｃｍ−１）：νＳｉ−Ｏ＝１０８１、νＳｉ−Ｃ＝１３９０、νＣ（Ｏ）＝１６６５；
ＭＳ （ＥＩ＋） （ｍ／ｅ、相対強度）：５１０（０．８８、Ｍ＋）；１６３（１００、Ｓｉ（ＯＥｔ）３＋）；４６５（８．３６、Ｍ−ＥｔＯ＋）；
要素分析：Ｃ２１Ｈ４５Ｏ８Ｎ２Ｓｉ２計算値：Ｃ＝４９．４８％、Ｈ＝８．９０％、Ｎ＝５．５０％；測定値：Ｃ＝４７．８７％、Ｈ＝８．９１％、Ｎ＝５．５３％
【誤訳訂正６】
【訂正対象書類名】明細書
【訂正対象項目名】００５３
【訂正方法】変更
【訂正の内容】
【００５３】
化合物６ａの物性
黄色の液体、Ｅｂ１＝１１０℃
ＮＭＲ １Ｈ（ＣＤＣｌ３、δｐｐｍ）：１．２１（ＣＨ３、３Ｈ、ｔ）；３．２４（ＣＨ２、２Ｈ、ｓ）；４．１２（ＯＣＨ２、２Ｈ、ｑ）；６．５（ＮＨ）；７．６（ＮＨ）
ＮＭＲ １３Ｃ（ＣＤＣｌ３、δｐｐｍ）：１３．９６（ＣＨ３）；４１．３０（ＣＨ２）；６１．５１（ＯＣＨ２）；１６３．１３（Ｃ（Ｏ））；１６８．９９（Ｃ（Ｏ））；
ＩＲ（ＣＣｌ４、ｃｍ−１）：νＣ（Ｏ）エステル＝１７３１、νＣ（Ｏ）アミド＝１６８４；
ＭＳ （ＥＩ＋） （ｍ／ｅ、相対強度）：１３０（３０、Ｍ＋）；２８（１００、ＣＯ＋）；５８（６２、＋ＣＨ２Ｃ（Ｏ）ＮＨ２）、１１５（７、Ｍ−ＮＨ２＋）
【誤訳訂正７】
【訂正対象書類名】明細書
【訂正対象項目名】００５５
【訂正方法】変更
【訂正の内容】
【００５５】
化合物６の物性
非常に粘性のオレンジ色の液体
ＮＭＲ １Ｈ（ＣＤＣｌ３、δｐｐｍ）：０．５９（ＣＨ２Ｓｉ、２Ｈ、ｔ）；１．１７（ＣＨ３、９Ｈ、ｔ）；１．５５（ＣＨ２ＣＨ２ＣＨ２、２Ｈ、ｍ）；３．１４（２位でＣＨ２、２Ｈ、ｓ）；３．１８（ＮＨＣＨ２、２Ｈ、ｍ）；３．７７（ＯＣＨ２、６Ｈ、ｑ）；
ＮＭＲ １３Ｃ（ＤＭＳＯ ｄ６、δｐｐｍ）：６．８２（ＣＨ２Ｓｉ）；１７．８０（ＣＨ３）；２２．０９（ＣＨ２ＣＨ２ＣＨ２）；４１．３８（ＣＨ２ＮＨ）；４２．８１（２位でＣＨ２）；５７．８４（ＯＣＨ２）；１６７．２８（Ｃ（Ｏ））；１６９．９１Ｃ（Ｏ）；
ＮＭＲ ２９Ｓｉ（ＣＤＣｌ３、δｐｐｍ）：−４５．７４；
ＩＲ（ＣＣｌ４、ｃｍ−１）：νＳｉ−Ｏ＝１０８０、νＳｉ−Ｃ＝１３９０、νＣ（Ｏ）＝１６６９；
ＭＳ （ＥＩ＋） （ｍ／ｅ、相対強度）：３０７（０．４、Ｍ＋）；１６３（１００、Ｓｉ（ＯＥｔ）３＋）；２６１（２０、Ｍ−ＥｔＯ＋）；
要素分析：Ｃ１２Ｈ２６Ｏ５Ｎ２Ｓｉ計算値：Ｃ＝４７．０４％、Ｈ＝８．５５％、Ｎ＝９．１４％；測定値：Ｃ＝４７．００％、Ｈ＝８．７８％、Ｎ＝９．２９％
【誤訳訂正８】
【訂正対象書類名】明細書
【訂正対象項目名】００５７
【訂正方法】変更
【訂正の内容】
【００５７】
工程１：N,N,N',N'-テトラエチル-1,3プロパンジアミド（７ａ）の合成
方法
５３ｇ（０．７２モル）のジエチルアミン及び２００ｍｌのトルエンを、機械的攪拌及び滴下漏斗を装備した５００ｍｌの三首フラスコ内に加える。温度を−１５℃に低下し、５０ｇ（０．３５モル）の二塩化マロニルを滴下して加える。反応媒体を２時間攪拌する。次いでそれを濾過し、トルエンを回転蒸発器、次いで真空多岐管で除去する。ジアミド７ａを蒸留によって単離する。１９．６ｇの生成物を得る（Ｙ＝２６％）。
化合物７ａの物性
粘性の黄色の液体、Ｅｂ０．０１５＝１１０℃；
ＮＭＲ １Ｈ（ＣＤＣｌ３、δｐｐｍ）：１．１４（ＣＨ３、１２Ｈ、ｍ）；３．４３（ＣＨ２、２Ｈ、ｓ）；３．３８（ＮＣＨ２、８Ｈ、ｍ）；
ＮＭＲ １３Ｃ（ＣＤＣｌ３、δｐｐｍ）：１２．７０及び１３．９８（ＮＣＨ２ＣＨ３）；４０．０６及び４２．４３（ＮＣＨ２）；４０．４４（ＣＨ２）；１６６．１９（Ｃ（Ｏ））；
ＩＲ（ＣＣｌ４、ｃｍ−１）：νＣ（Ｏ）＝１６３６；
ＭＳ （ＥＩ＋） （ｍ／ｅ、相対強度）：２１４（１０、Ｍ＋）；２１５（２０、Ｍ＋Ｉ＋）；７２（１００、Ｎｅｔ２＋）；１４２（２０、Ｍ−ＮＥｔ２＋）
【誤訳訂正９】
【訂正対象書類名】明細書
【訂正対象項目名】００５８
【訂正方法】変更
【訂正の内容】
【００５８】
工程２：N,N,N',N'-テトラエチル-2-プロペン-1-イル-1,3プロパンジアミド（７ｂ）の合成
方法
２５０ｍｌのテトラヒドロフランＴＨＦ及び１１．２６ｇ（０．０５２６モル）のジアミド７ａを、２個の滴下漏斗、温度計及び磁力的攪拌を有する５００ｍｌの三首フラスコに加える。媒体を−８０℃に冷却する。３３ｍｌのブチルリチウム（１．６Ｍ、０．０５３モル）及び２７ｍｌのＴＨＦで希釈した６．５ｇ（０．０５３７モル）の臭化アリルを、同時に加える。添加の間、温度は−５０℃を超えないようにすべきである。添加が終了したら、媒体を室温に戻すことができる。攪拌を３時間継続する。
ＴＨＦを、回転蒸発器によって除去する。残余の液体をジクロロメタン中に再溶解し、水で洗浄し、硫酸マグネシウムで乾燥し、次いで回転蒸発器及び真空多岐管で再び蒸発する。精製は、溶離液として酢酸エチル（Ｒｆ＝０．５５）を用いてシリカのカラムでなされ、８ｇの化合物７ｂを得る（Ｙ＝６０％）。
化合物７ｂの物性
ＮＭＲ １Ｈ（ＣＤＣｌ３、δｐｐｍ）：１．１３（ＣＨ３、１２Ｈ、ｔ）；２．６４（ＣＨ２、２Ｈ、ｔ）；３．３５（ＮＣＨ２、８Ｈ、ｍ）；３．６３（ＣＨ、１Ｈ、ｄ）；５．０６（ＣＨ＝ＣＨ２、２Ｈ、ｍ）；５．８６（ＣＨ＝ＣＨ２、１Ｈ、ｍ）；
ＮＭＲ １３Ｃ（ＣＤＣｌ３、δｐｐｍ）：１２．６３及び１４．００（ＣＨ３）；３３．８６（ＣＨ２ＣＨ＝ＣＨ２）；４０．２２及び４１．４２（ＮＣＨ２）；４９．５７（ＣＨ）；１１６．２８（ＣＨ＝ＣＨ２）；１３６．１０（ＣＨ＝ＣＨ２）；１６８．１５（Ｃ（Ｏ））；
ＩＲ（ＣＣｌ４、ｃｍ−１）：νＣ（Ｏ）＝１６３３；
ＭＳ （ＥＩ＋） （ｍ／ｅ、相対強度）：２５５（１５、Ｍ＋）；７２（１００、Ｎｅｔ２＋）；１８２（１０、Ｍ−ＮＥｔ２＋）；
要素分析：Ｃ１４Ｈ２６Ｏ２Ｎ２計算値：Ｃ＝６６．１１％、Ｈ＝１０．３０％、Ｎ＝１１．０１％；測定値：Ｃ＝６５．８０％、Ｈ＝１０．１４％、Ｎ＝１０．８８％
【誤訳訂正１０】
【訂正対象書類名】明細書
【訂正対象項目名】００６０
【訂正方法】変更
【訂正の内容】
【００６０】
化合物７の物性
粘性の黄色の液体；Ｅｂ０．０１＝１４０℃
ＮＭＲ １Ｈ（ＣＤＣｌ３、δｐｐｍ）：０．６４（ＣＨ２Ｓｉ、２Ｈ、ｔ）；１．０６（ＣＨ３、２１Ｈ、ｍ）；１．４０（ＣＨ２ＣＨ２ＣＨ２、２Ｈ、ｍ）；１．８４（ＣＨ２ＣＨ２、２Ｈ、ｑ）；３．３７（ＮＣＨ２、８Ｈ、ｑ）；３．４５（ＣＨ、２Ｈ、ｔ）；３．７２（ＯＣＨ２、６Ｈ、ｑ）；
ＮＭＲ １３Ｃ（ＣＤＣｌ３、δｐｐｍ）：１０．３１（ＣＨ２Ｓｉ）；１２．６１及び１３．９９（ＮＣＨ２ＣＨ３）；１８．２０（ＯＣＨ２ＣＨ３）；２１．７１（ＣＨ２ＣＨ２ＣＨ２）；３２．７３（ＣＨＣＨ２）；４０．２５及び４１．４（ＮＣＨ２）；５０．２２（ＣＨ）；５８．２３（ＯＣＨ２）；１６８．５９（Ｃ（Ｏ））；
ＮＭＲ ２９Ｓｉ（ＣＤＣｌ３、δｐｐｍ）：−４５．２５；
ＩＲ（ＣＣｌ４、ｃｍ−１）：νＳｉ−Ｏ＝１０８１、νＣ（Ｏ）＝１６３０；
ＭＳ （ＥＩ＋） （ｍ／ｅ、相対強度）：４１９（４０、Ｍ＋）；１６３（４０、Ｓｉ（ＯＥｔ）３＋）；７２（７３、ＮＥｔ２＋）；３４６（２５、Ｍ−ＮＥｔ２＋）；
要素分析：Ｃ２０Ｈ４２Ｏ５Ｎ２Ｓｉ計算値：Ｃ＝５７．３８％、Ｈ＝１０．１１％、Ｎ＝６．６９％；測定値：Ｃ＝５７．４６％、Ｈ＝９．９８％、Ｎ＝６．７７％
【誤訳訂正１１】
【訂正対象書類名】明細書
【訂正対象項目名】００６３
【訂正方法】変更
【訂正の内容】
【００６３】
実施例６：ハイブリッドシリカゲル８ａの調製
使用される試薬の量は、以下の通りである：
メタノール中に８．３ｇの表１および２の５０％アルコキシシラン１（１５．７ミリモル）；
１０．５ｍｌのメタノール；
４０７ｍｇのＨ２Ｏ（２２．６ミリモル）；
１６μｌのＮＨ４Ｆ １Ｍ（１６マイクロモル）。
３週間後、不透明な白色ゲルが得られる。該ゲルを、上述のように処理する。２．１１ｇのものが得られる。
ゲル８ａの物性
白色粉体；
ＩＲＴＦ（ＫＢｒ、ｃｍ−１）：νＳｉ−Ｏ＝１０２５、νＯ−Ｈ＝３３５９、νＣ＝Ｏ＝１６６４、νＮ−Ｈ＝１５６０及び１６０２、νＣ−Ｈ＝２９３９；
ＣＰ−ＭＡＳでのＮＭＲ １３Ｃ（δ、ｐｐｍ）：１０．５１（ＣＨ２Ｓｉ）、２３．９３（ＣＨ２ＣＨ２ＣＨ２及び残余のＯＣＨ２ＣＨ３）；４２．６０（ＣＨ２ＮＨ）；５０．００（エトキシで交換されたメトキシのＯＣＨ３）；６０．４７（残余のＯＣＨ２）；１６０．９２（Ｃ（Ｏ））；
ＣＰ−ＭＡＳでのＮＭＲ ２９Ｓｉ（δ、ｐｐｍ）：−５８．９５（Ｔ２）、−６６．５４（Ｔ３）、Ｔ３＞Ｔ２；
Ｂ．Ｅ．Ｔ．：Ｓ≒１ｍ２／ｇ；
要素分析：完全な縮合についてＣ４Ｈ９Ｎ２Ｏ２．５Ｓｉ ％Ｃ＝３１．３６、％Ｈ＝５．９２、％Ｎ＝１８．２９；％Ｏ＝２６．１１、％Ｓｉ＝１８．３３；測定値：Ｃ４．１１Ｈ１０．９２Ｎ１．６Ｏ３．３９Ｓｉ、％Ｃ＝２９．８４、％Ｈ＝６．６６、％Ｎ＝１３．６４；％Ｏ＝３２．８６、％Ｓｉ＝１７
【誤訳訂正１２】
【訂正対象書類名】明細書
【訂正対象項目名】００６４
【訂正方法】変更
【訂正の内容】
【００６４】
実施例７：ハイブリッドシリカゲル８ｂの調製
使用される試薬の量は、以下の通りである：
メタノール中に９．６８ｇの５０％アルコキシシラン１（１８．３ミリモル）；
７．６６ｇのＳｉ（ＯＥｔ）４（３６．８ミリモル）；
５５ｍｌのメタノール；
１．８１ｇのＨ２Ｏ（０．１０１モル）；
５５μｌのＮＨ４Ｆ １Ｍ（５５マイクロモル）。
不透明な白色ゲルが、１２時間以内で得られる。処理の後、５．４ｇが回収される。
ゲル８ｂの物性
白色粉体；
ＩＲＴＦ（ＫＢｒ、ｃｍ−１）：νＳｉ−Ｏ＝１０７０、νＯ−Ｈ＝３３７２、νＣ＝Ｏ＝１６６６、νＮ−Ｈ＝１５５７及び１６０２、νＣ−Ｈ＝２９４９；
ＣＰ−ＭＡＳでのＮＭＲ １３Ｃ（δ、ｐｐｍ）：９．９４（ＣＨ２Ｓｉ）、２４．４０（ＣＨ２ＣＨ２ＣＨ２）；１８．８５（残余のＯＣＨ２ＣＨ３）；４４．１３（ＣＨ２ＮＨ）；５１．９６（エトキシで交換されたメトキシのＯＣＨ３）；６１．６２（残余のＯＣＨ２）；１６２．３（Ｃ（Ｏ））；
ＣＰ−ＭＡＳでのＮＭＲ ２９Ｓｉ（δ、ｐｐｍ）：−５１．２（Ｔ１）、−５８．５（Ｔ２）、−６６．２（Ｔ３）、−９２．３（Ｑ２）、−１０２．１（Ｑ３）、−１０９．８（Ｑ４）、Ｔ３＞Ｔ２＞Ｔ１Ｑ４＞Ｑ３＞＞Ｑ２；
Ｂ．Ｅ．Ｔ．：Ｓ≒６ｍ２／ｇ；
要素分析：完全な縮合についてＣ１．３３Ｈ３Ｎ０．６７Ｏ２．１７Ｓｉ、％Ｃ＝１７．５７、％Ｈ＝３．３２、％Ｎ＝１０．２５；％Ｏ＝３８．０５、％Ｓｉ＝３０．８２；測定値：Ｃ１．２９Ｈ４．０３Ｎ０．５５Ｏ２．９０Ｓｉ、％Ｃ＝１５．２６、％Ｈ＝３．９９、％Ｎ＝７．６１；％Ｏ＝４５．５４、％Ｓｉ＝２７．６０
【誤訳訂正１３】
【訂正対象書類名】明細書
【訂正対象項目名】００６５
【訂正方法】変更
【訂正の内容】
【００６５】
実施例８：ハイブリッドシリカゲル８ｃの調製
使用される試薬の量は、以下の通りである：
メタノール中に５．７５ｇの５０％アルコキシシラン１（１０．８７ミリモル）；
１１．２４ｇのＳｉ（ＯＥｔ）４（５４．０４ミリモル）；
６２ｍｌのメタノール；
２．４７ｇのＨ２Ｏ（０．１３７モル）；
６６μｌのＮＨ４Ｆ １Ｍ（５５マイクロモル）。
不透明な白色ゲルが、１２時間以内で得られる。処理の後、５．４ｇが回収される。
ゲル８ｃの物性
白色粉体；
ＩＲＴＦ（ＫＢｒ、ｃｍ−１）：νＳｉ−Ｏ＝１０７５、νＯ−Ｈ＝３４０２、νＣ＝Ｏ＝１６６０、νＮ−Ｈ＝１５５７及び１６０２、νＣ−Ｈ＝２９４９；
ＣＰ−ＭＡＳでのＮＭＲ ２９Ｓｉ（δ、ｐｐｍ）：−５７．２（Ｔ２）、−６６．３（Ｔ３）、−９３．４（Ｑ２）、−１０２．８（Ｑ３）、−１０９．８（Ｑ４）、Ｔ３＞Ｔ２、Ｑ３＞Ｑ４＞＞Ｑ２；
Ｂ．Ｅ．Ｔ．：Ｓ≒４５４ｍ２／ｇ；Ｖ孔全体＝０．３７６８ｃｍ３／ｇ、Ｓマイクロポーラス＝１６ｍ２／ｇ、Ф孔の平均＝３３Å；
要素分析：完全な縮合についてＣ０．８Ｈ１．８Ｎ０．４Ｏ２．５Ｓｉ、％Ｃ＝１１．２９、％Ｈ＝２．１３、％Ｎ＝６．５８；％Ｏ＝４７．０、％Ｓｉ＝３３．００；測定値：Ｃ０．９５Ｈ６．７７Ｎ０．２９Ｏ２．１３Ｓｉ、％Ｃ＝１３．４７、％Ｈ＝８．０９、％Ｎ＝４．８３；％Ｏ＝４０．３１、％Ｓｉ＝３３．３０
【誤訳訂正１４】
【訂正対象書類名】明細書
【訂正対象項目名】００６６
【訂正方法】変更
【訂正の内容】
【００６６】
実施例９：ハイブリッドシリカゲル９ａの調製
使用される試薬の量は、以下の通りである：
エタノール中に８．３５ｇの６０％アルコキシシラン２（１１．３６ミリモル）；
２３ｍｌのエタノール；
６１３ｍｇのＨ２Ｏ（３４ミリモル）；
２３μｌの１Ｍ ＮＨ４Ｆ（２３マイクロモル）。
不透明な白色ゲルが、１２時間以内で得られる。処理の後、２．７７ｇが回収される。
ゲル９ａの物性
白色粉体；
ＩＲＴＦ（ＫＢｒ、ｃｍ−１）：νＳｉ−Ｏ＝１０７０、νＯ−Ｈ＝３４０１、νＣ＝Ｏ＝１６５４、νＮ−Ｈ＝１５７０、νＣ−Ｈ＝２９４９；
ＣＰ−ＭＡＳでのＮＭＲ １３Ｃ（δ、ｐｐｍ）：１０．０１（ＣＨ２Ｓｉ）、２４．３９（ＣＨ２ＣＨ２ＣＨ２）；１７．６２（残余のＯＣＨ２ＣＨ３）；４２．５７（ＣＨ２ＮＨ）；５８．０７（ＯＣＨ２ＣＨ３）；１５９．６８（Ｃ（Ｏ））；
ＣＰ−ＭＡＳでのＮＭＲ ２９Ｓｉ（δ、ｐｐｍ）：−６１．９（Ｔ２）、−６６．９１（Ｔ３）、Ｔ３＞Ｔ２；
要素分析：完全な縮合についてＣ７Ｈ１４Ｎ２Ｏ４Ｓｉ２、％Ｃ＝３４．１３、％Ｈ＝５．７３、％Ｎ＝１１．３７；％Ｏ＝２５．９８、％Ｓｉ＝２２．８０；測定値：Ｃ８．２２Ｈ１９．８５Ｎ１．７３Ｏ５．６６Ｓｉ２、％Ｃ＝３４．０８、％Ｈ＝６．９１、％Ｎ＝８．３５；％Ｏ＝３１．２６、％Ｓｉ＝１９．４０
【誤訳訂正１５】
【訂正対象書類名】明細書
【訂正対象項目名】００６７
【訂正方法】変更
【訂正の内容】
【００６７】
実施例１０：ハイブリッドシリカゲル９ｂの調製
使用される試薬の量は、以下の通りである：
エタノール中に７．００ｇの６０％アルコキシシラン２（９．５２ミリモル）；
９．９ｇのＳｉ（ＯＥｔ）４（４７．６０ミリモル）；
６３ｍｌのエタノール；
２．２３ｇのＨ２Ｏ（０．１２４ミリモル）；
６７μｌの１Ｍ ＮＨ４Ｆ（６０マイクロモル）。
不透明な白色ゲルが、１２時間以内で得られる。処理の後、５．５５ｇが回収される。
ゲル９ｂの物性
白色粉体；
ＩＲＴＦ（ＫＢｒ、ｃｍ−１）：νＳｉ−Ｏ＝１０７５、νＯ−Ｈ＝３４２９、νＣ＝Ｏ＝１６５４、νＮ−Ｈ＝１５７０、νＣ−Ｈ＝２９８２；
要素分析：完全な縮合についてＣ１．６Ｈ３．６Ｎ０．８Ｏ５Ｓｉ２、％Ｃ＝１１．２９、％Ｈ＝２．１３、％Ｎ＝６．５８；％Ｏ＝４７．００、％Ｓｉ＝３３；測定値：Ｃ１．８９Ｈ１３．５４Ｎ０．５８Ｏ４．２５Ｓｉ２、％Ｃ＝１３．４７、％Ｈ＝８．０９、％Ｎ＝４．８３；％Ｏ＝４０．３１、％Ｓｉ＝３３．３０
【誤訳訂正１６】
【訂正対象書類名】明細書
【訂正対象項目名】００６８
【訂正方法】変更
【訂正の内容】
【００６８】
実施例１１：ハイブリッドシリカゲル１０ａの調製
使用される試薬の量は、以下の通りである：
１．２４ｇのアルコキシシラン３（４．６１ミリモル）；
３．８５ｇのＳｉ（ＯＥｔ）４（１８．５１ミリモル）；
２３ｍｌのエタノール；
０．７８ｇのＨ２Ｏ（４３．３３ミリモル）；
２３μｌの１Ｍ ＮＨ４Ｆ（７４マイクロモル）。
不透明な白色ゲルが、２４から３６時間後に得られる。処理の後、２．０６ｇが回収される。
ゲル１０ａの物性
白色粉体；
ＩＲＴＦ（ＫＢｒ、ｃｍ−１）：νＳｉ−Ｏ＝１０６８、νＯ−Ｈ＝３４２０、νＣ−Ｃアリール＝１６１３；
ＣＰ−ＭＡＳでのＮＭＲ １３Ｃ（δ、ｐｐｍ）：１７．２（ＣＨ３）、２８．８（ＣＨ２−Ｐｈ）；５７．３（ＯＣＨ２）；１２３．６（ＣＨアリール）；１４８．７（ＣＨアリール）；１５５．５５（Ｃアリール）；
ＣＰ−ＭＡＳでのＮＭＲ ２９Ｓｉ（δ、ｐｐｍ）：−６６．８（Ｔ３）、−１０２．１（Ｑ３）、−１１０．３（Ｑ４）；
Ｂ．Ｅ．Ｔ．：Ｓ＝４０６ｍ２／ｇ
【誤訳訂正１７】
【訂正対象書類名】明細書
【訂正対象項目名】００６９
【訂正方法】変更
【訂正の内容】
【００６９】
実施例１２：ハイブリッドシリカゲル１１ａの調製
使用される試薬の量は、以下の通りである：
３．９８ｇのアルコキシシラン４（１４．９０ミリモル）；
１２．２６ｇのＳｉ（ＯＥｔ）４（５９．５０ミリモル）；
７４ｍｌのエタノール；
２．５５ｇのＨ２Ｏ（０．１４２モル）；
７４μｌの１Ｍ ＮＨ４Ｆ（７４マイクロモル）。
不透明な白色ゲルが、２４から３６時間後に得られる。処理の後、５．２７ｇが回収される。
ゲル１１ａの物性
白色粉体；
ＩＲＴＦ（ＫＢｒ、ｃｍ−１）：νＳｉ−Ｏ＝１０７２、νＯ−Ｈ＝３４０１、νＣ−Ｃ＝２９８２、νＣ＝Ｃアリール＝１６０２，１５７３，１４８２，１４４２；
ＣＰ−ＭＡＳでのＮＭＲ １３Ｃ（δ、ｐｐｍ）：１４．４（ＣＨ２Ｓｉ）、１７．４（ＣＨ３）；３０．８（ＣＨ２ＣＨ２Ｓｉ）；５９．０（ＯＣＨ２）；１２１．７（２ＣＨアリール）；１３６．５（ＣＨアリール）；１４７．７（ＣＨアリール）；１６３．４（Ｃアリール）；
ＣＰ−ＭＡＳでのＮＭＲ ２９Ｓｉ（δ、ｐｐｍ）：−６１．９（Ｔ２）、−６６．８（Ｔ３）；−１０２．０（Ｑ３）、−１１０．１（Ｑ４）；
Ｂ．Ｅ．Ｔ．：Ｓ＝３５５ｍ２／ｇ
【誤訳訂正１８】
【訂正対象書類名】明細書
【訂正対象項目名】００７０
【訂正方法】変更
【訂正の内容】
【００７０】
実施例１３：ハイブリッドシリカゲル１２ａの調製
使用される試薬の量は、以下の通りである：
３．４ｇのアルコキシシラン５（６．６７ミリモル）；
１６ｍｌのエタノール；
４３２ｍｇのＨ２Ｏ（２０ミリモル）；
１６μｌの１Ｍ ＮＨ４Ｆ（１６マイクロモル）。
黄色のゲルが、１２時間後に得られる。該ゲルを、上述のように処理する。２．５０ｇが回収される。
ゲル１２ａの物性
黄色粉体；
ＩＲＴＦ（ＫＢｒ、ｃｍ−１）：νＳｉ−Ｏ＝１０４４、νＯ−Ｈ＝３４４７、νＣ＝Ｏ＝１６５４、νＮ−Ｈ＝１５４１、νＣ−Ｈ＝２９３６；
ＣＰ−ＭＡＳでのＮＭＲ １３Ｃ（δ、ｐｐｍ）：１０．５３（ＣＨ２Ｓｉ）、１８．４９（残余のＯＣＨ２ＣＨ３）、２３．１６（ＣＨ２ＣＨ２ＣＨ２）；４３．３３（ＣＨ２ＮＨ）；５８．７０（残余のＯＣＨ２ＣＨ３）；１７０．４０（Ｃ（Ｏ））；
ＣＰ−ＭＡＳでのＮＭＲ ２９Ｓｉ（δ、ｐｐｍ）：−５３．４９（Ｔ１）、−６１．０８（Ｔ２）、−６７．３９（Ｔ３）、Ｔ３＞Ｔ２＞＞Ｔ１；
Ｂ．Ｅ．Ｔ．：Ｓ≒０．１ｍ２／ｇ
要素分析：完全な縮合についてＣ９Ｈ１６Ｎ２Ｏ５Ｓｉ２、％Ｃ＝３７．４８、％Ｈ＝５．５９、％Ｎ＝９．７１；％Ｏ＝２７．７４、％Ｓｉ＝１９．４８；測定値：Ｃ９．４４Ｈ１９．３５Ｎ１．８８Ｏ６．６５Ｓｉ２、％Ｃ＝３５．２４、％Ｈ＝６．０６、％Ｎ＝８．１８；％Ｏ＝３３．０７、％Ｓｉ＝１７．４５
【誤訳訂正１９】
【訂正対象書類名】明細書
【訂正対象項目名】００７１
【訂正方法】変更
【訂正の内容】
【００７１】
実施例１４：ハイブリッドシリカゲル１２ｂの調製
使用される試薬の量は、以下の通りである：
３．２９ｇのアルコキシシラン５（６．６５ミリモル）；
１．３８ｇのＳｉ（ＯＥｔ）４（６．６４ミリモル）；
２０ｍｌのエタノール；
５８１ｍｇのＨ２Ｏ（３２．３ミリモル）；
２０μｌの１Ｍ ＮＨ４Ｆ（２０マイクロモル）。
一週間後、ゲル化は未だ生じない。２００μｌの１Ｍ ＮＨ４Ｆを加える。すると数分内にゲル化が生じる。処理の後、２．２７ｇが回収される。
ゲル１２ｂの物性
黄色粉体；
ＩＲＴＦ（ＫＢｒ、ｃｍ−１）：νＳｉ−Ｏ＝１０４９、νＯ−Ｈ＝３４２３、νＣ＝Ｏ＝１６６７、νＮ−Ｈ＝１５５２、νＣ−Ｈ＝２９４１；
ＣＰ−ＭＡＳでのＮＭＲ １３Ｃ（δ、ｐｐｍ）：１０．１６（ＣＨ２Ｓｉ）、１７．０７（残余のＯＣＨ２ＣＨ３）、２２．６６（ＣＨ２ＣＨ２ＣＨ２）；４２．１４（ＣＨ２ＮＨ）；５８．２８（残余のＯＣＨ２ＣＨ３）；１６８．２５（Ｃ（Ｏ））；
ＣＰ−ＭＡＳでのＮＭＲ ２９Ｓｉ（δ、ｐｐｍ）：−５３．６０（Ｔ１）、−６０．００（Ｔ２）、−６７．３９（Ｔ３）、−１０１．８（Ｑ３）、−１０９（Ｑ４）、Ｔ３＞Ｔ２＞＞Ｔ１≒Ｑ３＞Ｑ４；
Ｂ．Ｅ．Ｔ．：Ｓ≒１０６ｍ２／ｇ；Ｖ孔全体＝０．０９９５ｃｍ３／ｇ、非微孔性、・孔の平均＝３８Å；
要素分析：完全な縮合についてＣ６Ｈ１０．６６Ｎ１．３３Ｏ４．６６Ｓｉ２、％Ｃ＝３１．０２、％Ｈ＝４．６３、％Ｎ＝８．０４３；％Ｏ＝３２．１４、％Ｓｉ＝２４．１８；測定値：Ｃ６．９８Ｈ１４．１８Ｎ１．２３Ｏ６．０４Ｓｉ２、％Ｃ＝３１．２６、％Ｈ＝５．３３、％Ｎ＝６．４２；％Ｏ＝３６．０４、％Ｓｉ＝２０．９５
【誤訳訂正２０】
【訂正対象書類名】明細書
【訂正対象項目名】００７２
【訂正方法】変更
【訂正の内容】
【００７２】
実施例１５：ハイブリッドシリカゲル１２ｃの調製
使用される試薬の量は、以下の通りである：
２．４６ｇのアルコキシシラン５（４．８２ミリモル）；
２．００ｇのＳｉ（ＯＥｔ）４（９．６５ミリモル）；
２０ｍｌのエタノール；
６０２ｍｇのＨ２Ｏ（３３．３ミリモル）；
２０μｌの１Ｍ ＮＨ４Ｆ（２０マイクロモル）。
一週間後、ゲル化は未だ生じない。２００μｌの１Ｍ ＮＨ４Ｆを加える。すると数分内でゲル化が生じる。処理の後、２．０３ｇが回収される。
ゲル１２ｃの物性
黄色粉体；
ＩＲＴＦ（ＫＢｒ、ｃｍ−１）：νＳｉ−Ｏ＝１０４６、νＯ−Ｈ＝３３０９、νＣ＝Ｏ＝１５６０、νＮ−Ｈ＝１５６０、νＣ−Ｈ＝２９４１；
ＣＰ−ＭＡＳでのＮＭＲ １３Ｃ（δ、ｐｐｍ）：１０．０１（ＣＨ２Ｓｉ）、１６．９７（残余のＯＣＨ２ＣＨ３）、２２．３５（ＣＨ２ＣＨ２ＣＨ２）；４２．９６（ＣＨ２ＮＨ）；５７．４２（残余のＯＣＨ２ＣＨ３）；１６８．３８（Ｃ（Ｏ））；
ＣＰ−ＭＡＳでのＮＭＲ ２９Ｓｉ（δ、ｐｐｍ）：−５３．２０（Ｔ１）、−５８．０（Ｔ２）、−６５．１（Ｔ３）、−１００．５（Ｑ２）、−１０４．４（Ｑ３）、−１１０．１（Ｑ４）、Ｔ３＞Ｔ２＞Ｔ１、Ｔ２≒Ｑ２≒Ｑ４＞Ｑ３；
【誤訳訂正２１】
【訂正対象書類名】明細書
【訂正対象項目名】００７３
【訂正方法】変更
【訂正の内容】
【００７３】
実施例１６：ハイブリッドシリカゲル１２ｄの調製
使用される試薬の量は、以下の通りである：
２．０６ｇのアルコキシシラン５（４．０４ミリモル）；
２．５２ｇのＳｉ（ＯＥｔ）４（１２．１ミリモル）；
２４ｍｌのエタノール；
６４０ｍｇのＨ２Ｏ（３５．５６ミリモル）；
２４μｌの１Ｍ ＮＨ４Ｆ（２４マイクロモル）。
一週間後、ゲル化は未だ生じない。２００μｌの１Ｍ ＮＨ４Ｆを加える。すると数分内にゲル化が生じる。
ゲル１２ｄの物性
黄色粉体；
ＩＲＴＦ（ＫＢｒ、ｃｍ−１）：νＳｉ−Ｏ＝１０５９、νＯ−Ｈ＝３４２３、νＣ＝Ｏ＝１６６９、νＮ−Ｈ＝１５５８、νＣ−Ｈ＝２９４１；
ＣＰ−ＭＡＳでのＮＭＲ １３Ｃ（δ、ｐｐｍ）：９．７６（ＣＨ２Ｓｉ）、１６．９１（残余のＯＣＨ２ＣＨ３）、２１．８６（ＣＨ２ＣＨ２ＣＨ２）；４２．４４（ＣＨ２ＮＨ）；５７．３４（残余のＯＣＨ２ＣＨ３）；１６８．３５（Ｃ（Ｏ））；
ＣＰ−ＭＡＳでのＮＭＲ ２９Ｓｉ（δ、ｐｐｍ）：−６５．８（Ｔ３）、−１００．５（Ｑ２）、−１０９（Ｑ４）、Ｔ３＞Ｑ２≒Ｑ４；
Ｂ．Ｅ．Ｔ．：Ｓ≒４６７ｍ２／ｇ；Ｖ孔全体＝０．４７１６ｃｍ３／ｇ、非微孔性、Ф孔の平均＝４０Å；
【誤訳訂正２２】
【訂正対象書類名】明細書
【訂正対象項目名】００７４
【訂正方法】変更
【訂正の内容】
【００７４】
実施例１７：ハイブリッドシリカゲル１２ｅの調製
使用される試薬の量は、以下の通りである：
２．３ｇのアルコキシシラン５（４．５１ミリモル）；
３．７５ｇのＳｉ（ＯＥｔ）４（１８．０４ミリモル）；
２７ｍｌのエタノール；
８９０ｍｇのＨ２Ｏ（４９．４ミリモル）；
２０μｌの１Ｍ ＮＨ４Ｆ（２０マイクロモル）。
一週間後、ゲル化は未だ生じない。２００μｌの１Ｍ ＮＨ４Ｆを加える。すると数分内にゲル化が生じる。処理の後、２．８７ｇが回収される。
ゲル１２ｅの物性
黄色粉体；
ＩＲＴＦ（ＫＢｒ、ｃｍ−１）：νＳｉ−Ｏ＝１０６２、νＯ−Ｈ＝３４０１、νＣ＝Ｏ＝１６６８、νＮ−Ｈ＝１５５８、νＣ−Ｈ＝２９４１；
Ｂ．Ｅ．Ｔ．：Ｓ≒４３６ｍ２／ｇ；Ｖ孔全体＝０．４３９６ｃｍ３／ｇ、Ｓ微孔性＝８ｍ２／ｇ、Ф孔の平均＝４０Å；
【誤訳訂正２３】
【訂正対象書類名】明細書
【訂正対象項目名】００７５
【訂正方法】変更
【訂正の内容】
【００７５】
実施例１８：ハイブリッドシリカゲル１２ｆの調製
使用される試薬の量は、以下の通りである：
４．１ｇのアルコキシシラン５（９．６ミリモル）；
９．９８ｇのＳｉ（ＯＥｔ）４（４８ミリモル）；
６７ｍｌのエタノール；
２．２５ｇのＨ２Ｏ（０．１２５モル）；
６７μｌの１Ｍ ＮＨ４Ｆ（６７マイクロモル）。
１１日後、ゲル化は未だ生じない。２７０μｌの１Ｍ ＮＨ４Ｆを加える。１４日後、７００μｌの１Ｍ ＮＨ４Ｆを再び加える。数時間内に、ゲル化が生じる。処理の後、５．２ｇが回収される。
ゲル１２ｆの物性
黄色粉体；
ＩＲＴＦ（ＫＢｒ、ｃｍ−１）：νＳｉ−Ｏ＝１０４９、νＯ−Ｈ＝３３０６、νＣ＝Ｏ＝１６６４、νＮ−Ｈ＝１５４９；
ＣＰ−ＭＡＳでのＮＭＲ ２９Ｓｉ（δ、ｐｐｍ）：−６７．３（Ｔ３）、−１０２．３（Ｑ３）、−１１２．７（Ｑ４）、Ｔ３≒Ｑ３≒Ｑ４；
Ｂ．Ｅ．Ｔ．：Ｓ≒２８２ｍ２／ｇ；Ｖ孔全体＝０．７９８８ｃｍ３／ｇ、非微孔性、Ф孔の平均＝１１３Å；
要素分析：完全な縮合についてＣ２．５７Ｈ４．５７Ｎ０．５７Ｏ４．２９Ｓｉ２、％Ｃ＝１８．３６、％Ｈ＝２．７４、％Ｎ＝４．７６；％Ｏ＝４０．７６、％Ｓｉ＝３３．３９；測定値：Ｃ２．５４Ｈ６．２６Ｎ０．５４Ｏ５．３７Ｓｉ２、％Ｃ＝１６．３６、％Ｈ＝３．３８、％Ｎ＝４．０８；％Ｏ＝４６．０８、％Ｓｉ＝３０．１
【誤訳訂正２４】
【訂正対象書類名】明細書
【訂正対象項目名】００７６
【訂正方法】変更
【訂正の内容】
【００７６】
実施例１９：ハイブリッドシリカゲル１３ａの調製
使用される試薬の量は、以下の通りである：
７４０ｍｇのアルコキシシラン６（２．４ミリモル）；
２．０１ｇのＳｉ（ＯＥｔ）４（９．６７ミリモル）；
１２ｍｌのエタノール；
４４０ｍｇのＨ２Ｏ（２４．４ミリモル）；
２４μｌの１Ｍ ＮＨ４Ｆ（２４マイクロモル）。
１４時間以内に、半透明の明るい黄色のゲルが得られる。該ゲルを、上述のように処理する。
ゲル１３ａの物性
黄色粉体；
ＩＲＴＦ（ＫＢｒ、ｃｍ−１）：νＳｉ−Ｏ＝１０７６、νＯ−Ｈ＝３４２６、νＣ＝Ｏ＝１６７６、νＮ−Ｈ＝１５６０、νＣ−Ｈ＝２９８３；
ＣＰ−ＭＡＳでのＮＭＲ １３Ｃ（δ、ｐｐｍ）：９．３１（ＣＨ２Ｓｉ）、１７．６７（残余のＯＣＨ２ＣＨ３）、２２．７５（ＣＨ２ＣＨ２ＣＨ２）；４２．４５（ＣＨ２ＮＨ）；５９．５４（残余のＯＣＨ２ＣＨ３）；１６８．４８（Ｃ（Ｏ））；
ＣＰ−ＭＡＳでのＮＭＲ ２９Ｓｉ（δ、ｐｐｍ）：−５８．７（Ｔ２）、−６６．１（Ｔ３）、−１０２．９（Ｑ３）、−１１１．３（Ｑ４）；
Ｂ．Ｅ．Ｔ．：Ｓ≒１９７ｍ２／ｇ；Ｖ孔全体＝０．２１８４ｃｍ３／ｇ、非微孔性、Ф孔の平均＝４４Å；
【誤訳訂正２５】
【訂正対象書類名】明細書
【訂正対象項目名】００７８
【訂正方法】変更
【訂正の内容】
【００７８】
実施例２１：ハイブリッドシリカゲル１４ｂの調製
使用される試薬の量は、以下の通りである：
１．７３ｇのアルコキシシラン７（４．１４ミリモル）；
２．５５ｇのＳｉ（ＯＥｔ）４（１２．３ミリモル）；
１６ｍｌのエタノール；
５５３ｍｇのＨ２Ｏ（３０．７ミリモル）；
１６μｌの１Ｍ ＮＨ４Ｆ（１６マイクロモル）。
２４時間以内に、半透明の明るい黄色のゲルが得られる。該ゲルを、上述のように処理する。１．６９ｇが回収される。
ゲル１４ｂの物性
黄色粉体；
ＩＲＴＦ（ＫＢｒ、ｃｍ−１）：νＳｉ−Ｏ＝１０７８、νＯ−Ｈ＝３４０１、νＣ＝Ｏ＝１６４４、νＣ−Ｈ＝２９３９および２９８０；
ＣＰ−ＭＡＳでのＮＭＲ １３Ｃ（δ、ｐｐｍ）：１３．６０（ＮＣＨ２ＣＨ３）、１７．８７（残余のＯＣＨ２ＣＨ３）、４１．５８（ＮＣＨ２ＣＨ３）；５９．１４（残余のＯＣＨ２ＣＨ３）；１６８．８９（Ｃ（Ｏ））；
ＣＰ−ＭＡＳでのＮＭＲ ２９Ｓｉ（δ、ｐｐｍ）：−５８．６（Ｔ２）、−６５．７（Ｔ３）、−１０３．４（Ｑ３）、−１０９．９（Ｑ４）、Ｑ３≒Ｑ４＞Ｔ３≒Ｔ２；
要素分析：完全な縮合についてＣ３．５Ｈ６．７５Ｎ０．５Ｏ２．３８Ｓｉ、％Ｃ＝３４．４８、％Ｈ＝５．５８、％Ｎ＝５．７４；％Ｏ＝３１．１７、％Ｓｉ＝２３．０４；測定値：Ｃ３．２４Ｈ６．３７Ｎ０．３５Ｏ２．６１Ｓｉ、％Ｃ＝３２．４２、％Ｈ＝５．３５、％Ｎ＝４．０８；％Ｏ＝３４．７５、％Ｓｉ＝２３．４０
【誤訳訂正２６】
【訂正対象書類名】明細書
【訂正対象項目名】００７９
【訂正方法】変更
【訂正の内容】
【００７９】
実施例２２：ハイブリッドシリカゲル１４ｃの調製
使用される試薬の量は、以下の通りである：
２．０ｇのアルコキシシラン７（４．７９ミリモル）；
４．０３ｇのＳｉ（ＯＥｔ）４（１９．４ミリモル）；
２３ｍｌのエタノール；
７９５ｍｇのＨ２Ｏ（４４．１７ミリモル）；
２３μｌの１Ｍ ＮＨ４Ｆ（２３マイクロモル）。
２４時間以内に、半透明の明るい黄色のゲルが得られる。該ゲルを、上述のように処理する。２．２４ｇが回収される。
ゲル１４ｃの物性
黄色粉体；
ＩＲＴＦ（ＫＢｒ、ｃｍ−１）：νＳｉ−Ｏ＝１０７７、νＯ−Ｈ＝３４３０、νＣ＝Ｏ＝１６４６、νＣ−Ｈ＝２９３９および２９８２；
ＣＰ−ＭＡＳでのＮＭＲ ２９Ｓｉ（δ、ｐｐｍ）：−５８．９（Ｔ２）、−６４．８（Ｔ３）、−１０２．１（Ｑ３）、−１０９．４（Ｑ４）、Ｑ３≒Ｑ４＞Ｔ３≒Ｔ２；
Ｂ．Ｅ．Ｔ．：Ｓ≒２ｍ２／ｇ；
要素分析：完全な縮合についてＣ２．８Ｈ５．４Ｎ０．４Ｏ２．３Ｓｉ、％Ｃ＝３０．７、％Ｈ＝４．９７、％Ｎ＝５．１１；％Ｏ＝３３．５９、％Ｓｉ＝２５．６４；測定値：Ｃ２．２６Ｈ５．２３Ｎ０．２９Ｏ２．７２Ｓｉ、％Ｃ＝２５．１７、％Ｈ＝４．８８、％Ｎ＝３．７１；％Ｏ＝４０．２４、％Ｓｉ＝２６、Ｐｔ＝１００ｐｐｍ
【誤訳訂正２７】
【訂正対象書類名】明細書
【訂正対象項目名】００８０
【訂正方法】変更
【訂正の内容】
【００８０】
実施例２３：ハイブリッドシリカゲル１４ｄの調製
使用される試薬の量は、以下の通りである：
０．９７ｇのアルコキシシラン７（２．３２ミリモル）；
２．４１ｇのＳｉ（ＯＥｔ）４（１１．６ミリモル）；
８．５ｍｌのエタノール；
５００ｍｇのＨ２Ｏ（２７．８ミリモル）；
９μｌの１Ｍ ＮＨ４Ｆ（９マイクロモル）。
２４時間以内で、半透明の明るい黄色のゲルが得られる。該ゲルを、上述のように処理する。
ゲル１４ｄの物性
黄色粉体；
ＣＰ−ＭＡＳでのＮＭＲ ２９Ｓｉ（δ、ｐｐｍ）：−５９（Ｔ２）、−６４．２（Ｔ３）、−１０２．６（Ｑ３）、−１０８．９（Ｑ４）、Ｑ３≒Ｑ４＞＞Ｔ３≒Ｔ２；
Ｂ．Ｅ．Ｔ．≒２３６ｍ２／ｇ；Ｖ孔全体＝０．５３８３ｃｍ３／ｇ、非微孔性、Ф孔の平均＝９１Å；
要素分析：完全な縮合についてＣ２．３３Ｈ４．５Ｎ０．３３Ｏ２．２５Ｓｉ、％Ｃ＝２７．６６、％Ｈ＝４．４８、％Ｎ＝４．６０；％Ｏ＝３５．５４、％Ｓｉ＝２７．７５；測定値：Ｃ２．１８Ｈ４．７７Ｎ０．２５Ｏ２．４１Ｓｉ、％Ｃ＝２５．９２、％Ｈ＝４．７５、％Ｎ＝３．４；％Ｏ＝３８．１８、％Ｓｉ＝２７．６６
【誤訳訂正２８】
【訂正対象書類名】明細書
【訂正対象項目名】００８２
【訂正方法】変更
【訂正の内容】
【００８２】
実施例２４：ゲル１５ａの調製
実施例６から２３と同様の方法が、以下の試薬の量を使用して、ＮＨ４Ｆ触媒の不存在下でゲルを調製するために使用される：
１．１１ｇの以下の式を有する機能性アルコキシシラン８（５ミリモル）：
【化２６】
2001520932.tif 000010
３．８ｇのＳｉ（ＯＭｅ）４（２５ミリモル）；
２５．５ｍｌのエタノール；
１０３．５ｍｇのＨ２Ｏ（５７．５ミリモル）；
１分後に、不透明な白色ゲルが得られる。該ゲルを、上述のように処理する。２．３３ｇのゲル１５ａが得られる。
【化２７】
2001520932.tif 000011
ゲル１５ａの物性
白色粉体；
ＩＲＴＦ（ＫＢｒ、ｃｍ−１）：νＳｉ−Ｏ＝１１１９、νＯＨ＝３４２０、νＣＨ＝２９５０；
ＣＰ−ＭＡＳでのＮＭＲ １３Ｃ（δ、ｐｐｍ）：９．４３（ＳｉＣＨ２）、２１．４４（ＳｉＣＨ２ＣＨ２）、４０．２９（ＮＣＨ２）；５０．６４（残余のＳｉＯＣＨ３）；
ＣＰ−ＭＡＳでのＮＭＲ ２９Ｓｉ（δ、ｐｐｍ）：−６６．４（Ｔ３）、−１０１．４（Ｑ３）、−１０８．４（Ｑ４）、Ｑ４≒Ｑ３＞Ｔ３；
Ｂ．Ｅ．Ｔ．：Ｓ＝２６９ｍ２／ｇ；Ｖ孔全体＝０．９７４１ｃｍ３／ｇ、Ｓ微孔性＝０、Ф孔の平均＝１１９．５Å
【誤訳訂正２９】
【訂正対象書類名】明細書
【訂正対象項目名】００８３
【訂正方法】変更
【訂正の内容】
【００８３】
実施例２５：ゲル１６ａの調製
実施例６から２３と同様の方法が、以下の試薬の量を使用して、ＮＨ４Ｆ触媒の不存在下でゲルを調製するために使用される：
１．０６ｇの以下の式を有する機能性アルコキシシラン９（４ミリモル）：
【化２８】
2001520932.tif 000012
２０．５ｍｌのエタノール；
８２８ｍｇのＨ２Ｏ（４６ミリモル）；
１分後に、白色ゲルが得られる。該ゲルを、上述のように処理する。１．８８ｇのゲル１６ａが得られる。
【化２９】
2001520932.tif 000013
ゲル１６ａの物性
白色粉体；
ＩＲＴＦ（ＫＢｒ、ｃｍ−１）：νＳｉ−Ｏ＝１０４５、νＯＨ＝３４６０；
ＣＰ−ＭＡＳでのＮＭＲ ２９Ｓｉ（δ、ｐｐｍ）：−６３．６（Ｔ３）、−９９．２（Ｑ３）、−１０８．３（Ｑ４）、Ｑ３≒Ｑ４＞＞Ｔ３；
Ｂ．Ｅ．Ｔ．：Ｓ＝１０９．８ｍ２／ｇ；Ｖ孔全体＝０．３８９７ｃｍ３／ｇ、Ｓ微孔性＝０、Ф孔の平均＝１５９．５Å